(57)【要約】【課題】  サイコロ自体でゲームを行うものは少なく、面白味に欠けることが多かった。そして、手数を要することなくサイコロを用いた他の変化の有る遊び方も求められており、サイコロ自体で変化の有る遊びができるようにする。【解決手段】  正多面体の平面を有する本体60と、前記本体60に収納される円筒体70と、を有し、前記円筒体70は、前記本体60の複数の平面の内、平行に対向する二面に両端面71,73を位置させて前記本体60に着脱可能に嵌入され、前記円筒体70の側面75が透明とされてフィギュア91を内蔵し、前記本体60の平面11,12,31,32及び前記円筒体70の両端面71,73は、各平面に異なる図柄が表示されていることを特徴とするサイコロ。【選択図】    図２
2015202312.tif 000002
【特許請求の範囲】
【請求項１】
正多面体の平面を形成する本体と、
前記本体に収納される円筒体と、
を有し、
前記円筒体は、前記本体の複数の平面の内、平行に対向する二面に両端面を位置させて前記本体に着脱可能に嵌入され、前記円筒体の側面が透明とされてフィギュアを内蔵し、
前記本体の平面及び前記円筒体の両端面は、各平面に異なる図柄が表示されていることを特徴とするサイコロ。
【請求項２】
前記本体は、同一形状の第１本体部と第２本体部とで構成されることを特徴とする請求項１に記載のサイコロ。
【請求項３】
前記本体は、前記円筒体の側面に圧接される接触突起を備えた弾性部材を有することを特徴とする請求項１又は請求項２に記載のサイコロ。
【請求項４】
前記本体は六面体であることを特徴とする請求項１乃至請求項３の何れかに記載のサイコロ。
【請求項５】
前記円筒体は、前記本体よりも個数の多い複数個とされて前記本体に交換可能に着脱され、前記複数の円筒体には異なるフィギュアが収納されていることを特徴とする請求項１乃至請求項４の何れかに記載のサイコロ。
【発明の詳細な説明】
【技術分野】
【０００１】
本発明は、ゲームを行う際に使用するサイコロに関するものである。
【背景技術】
【０００２】
今日、正六面体とされるサイコロは種々のゲームに用いられ、対向する面の数が７となるように黒丸の数が１個から６個を各面に表示したものだけでなく、各面に数を暗示する絵柄を描いた正六面体や他の正多面体とされたサイコロも使用されている。
【０００３】
そして、ゲームを行う場所でサイコロを組み立てることとし、ゲームに合わせたサイコロとするために、六面体を展開した平面状のシートと、このシートを六面体に組んだ後に各面に着設する賽の目シートと、によるサイコロの提案がなされている（例えば特許文献１）。
【０００４】
また、六面体のサイコロの頂点や稜線に切欠き等の印を形成したサイコロの複数個を用いて種々のゲームを可能とするゲーム用品としてのサイコロの提案もなされている（例えば特許文献２）。
【０００５】
そして、本件出願人は、先の出願（特許文献３）に開示するように、六面体の内部にキャラクタ形状部材を収納し、六面体を転がし、特定の面が上面となったときに上面を押下げると六面体が展開して収納したキャラクタが出現するサイコロの提案をしている。
【先行技術文献】
【特許文献】
【０００６】
【特許文献１】特開２００３―０４７７６２号公報
【特許文献２】特表２０１３―５０３６８５号公報
【特許文献３】特開２０１１―２２４２０２号公報
【発明の概要】
【発明が解決しようとする課題】
【０００７】
サイコロは、一般的には立方体の各面に数を暗示する絵柄が描かれ、転がして停止したときの上面の絵柄によってゲームを進行させることとし、ゲームの補助に使用されるものが多く、サイコロ自体でゲームを行うものは少なく、面白味に欠けることが多かった。
【０００８】
また、先に本件出願人が提案したサイコロの玩具は、展開することにより収納したキャラクタを出現させ、大きな変化による面白味を与えることはできるも、キャラクタを出現させた後は展開したサイコロを組み立てなければならず、手数を要することなくサイコロを用いた他の変化の有る遊び方が求められている。
【０００９】
本発明は、上述の課題を解決し、サイコロ自体で変化の有る遊びができるようにするものである。
【課題を解決するための手段】
【００１０】
本発明に係るサイコロは、正多面体の平面を形成する本体と、前記本体に収納される円筒体と、を有し、前記円筒体は、前記本体の複数の平面の内、平行に対向する二面に両端面を位置させて前記本体に着脱可能に嵌入され、前記円筒体の側面が透明とされてフィギュアを内蔵し、前記本体の平面及び前記円筒体の両端面は、各平面に異なる図柄が表示されていることを特徴とする。
【００１１】
また、前記本体は、同一形状の第１本体部と第２本体部とで構成されることを特徴とする。
【００１２】
更に、前記本体は、前記円筒体の側面に圧接される接触突起を備えた弾性部材を有することを特徴とする。
【００１３】
そして、前記本体は六面体であることを特徴とする。
【００１４】
また、前記円筒体は、前記本体よりも個数の多い複数個とされて前記本体に交換可能に着脱され、前記複数の円筒体には異なるフィギュアが収納されていることを特徴とする。
【発明の効果】
【００１５】
本発明に係るサイコロは、正多面体の平面を形成するものであって、各面に異なる絵柄が表示されて数を示すことが可能とされており、このサイコロ本体の対向する二面に両端面を位置させた円筒体にフィギュアを内蔵しているため、円筒体を一方の面から押し出してフィギュアを見せることができ、円筒体を本体に押し込んで収納することによりサイコロとして使用することができる。
【００１６】
また、この本体を同一形状の第１本体部と第２本体部とで構成することにより、円筒体を収納可能とする多面体であって重心を中心から大きくずらすことのないサイコロを容易に成形製造することができる。
【００１７】
そして、本体に、円筒体の側面へ圧接される接触突起を備えた弾性部材を設けることにより、サイコロとして転がせる本体から円筒体が脱落することを防止しつつ嵌入されている円筒体の挿入及び取出しを容易に行うことができる。
【００１８】
また、本体を六面体として６種類の絵柄を表示すれば、複雑なゲームとすることなく変化の有るゲームを楽しむことができる。
【００１９】
更に、円筒体の数を本体の数よりも多くすることにより、異なるフィギュアを用いて個数の少ないサイコロで変化の有る遊びを楽しむことができる。
【図面の簡単な説明】
【００２０】
【図１】本発明の実施の形態に係るサイコロの外観斜視図。
【図２】本発明の実施の形態に係るサイコロの円筒体を抜き出した状態を示す外観図。
【図３】本発明の実施の形態に係るサイコロの本体分解斜視図。
【図４】本発明の実施の形態に係るサイコロの本体の内部構造を示す図。
【図５】本発明の実施の形態に係るサイコロの円筒体を収納する状態を示す図。
【発明を実施するための形態】
【００２１】
本発明に係るサイコロの実施形態は、図１に示すように、正六面体の１２本の稜線及び８個の頂点に丸味を持たせて正多面体である立方体の６面を形成する平面を円形形状に近い形状としたサイコロ100とするものである。
【００２２】
そして、このサイコロ100は、図２に示すように、中空にして上面及び図示しない下面に同一直径とされる円形の開口を備えた本体60と、円筒形状の円筒体70により構成されるものである。
【００２３】
更に、この円筒体70にはフィギュア91を収納しており、フィギュア91の上方方向を円筒体70の上方とし、本体60は、上下方向に対称であるも、円筒体70に合わせ、図面の上下方向を本体60の上方及び下方として説明する。
【００２４】
この円筒体70は、円形の頂面71及び底面73を有し、頂面71の周縁から所要長さだけ垂下する上部環状部81を有し、頂面71と同一直径とされた底面73の周縁からは、所要長さだけ立上る下部環状部83を有し、更に、上部環状部81の内周に接し、且つ、下部環状部83の内周に接する透明な円筒形状とされる側壁75を有して上部環状部81の下端及び下部環状部83の上端に段部85が形成されるものである。
【００２５】
そして、この底面73の中央には、フィギュア91が固定され、透明な側壁75による側面からフィギュア91を視認可能としているものである。
【００２６】
また、本体60は、図３に示すように、同一形状とされる第１本体部10と第２本体部30とで形成するものであり、第１本体部10は、第１本体部10と第２本体部30とを合わせた本体60の上面及び下面の開口と略同一大きさとされる円形の第１側面11と第２側面12とを有する。
【００２７】
この第１本体部10と第２本体部30とは、上面及び下面の開口が形成する平面と９０度で交わる平面上に形成し、第１側面11が形成する平面と第２側面12が形成する平面も９０度で交わるように形成しているものである。
【００２８】
そして、第２本体部30も、第１側面31と第２側面32とを有し、第１側面31が形成する平面と、第２側面32が形成する平面、及び、第１側面31と第２側面32とを合わせた本体60の上面及び下面における開口が形成する平面も、相互に９０度で交わるようにしている。
【００２９】
また、第１本体部10及び第２本体部30の上面部分には、半円形の上面開口部15,35が設けられ、第１本体部10と第２本体部30とを合わせたとき、第１本体部10の上面開口部15と第２本体部30の上面開口部35とが合わされて図２に示したように本体60の上面側に円形の開口が形成されるものである。
【００３０】
また、第１本体部10及び第２本体部30の下面部分には、半円形の下面開口部16,36が設けられ、第１本体部10と第２本体部30とを合わせたとき、第１本体部10の下面開口部16と第２本体部30の下面開口部36とが合わされて本体60の下面側に円形の開口が形成されるものである。
【００３１】
そして、図３に示した第２本体部30は、上面開口部35の周縁と下面開口部36の周縁を結ぶ端縁43を有する平板状とされた側板41を２枚、相互に対向させて平行に有し、この側板41の端縁43の上方及び下方には、後述する弾性部材51の接触突起57を収納可能とする突起用切欠き42を有するものである。
【００３２】
また、図４に示すように、第１本体部10も、突起用切欠き22を端縁23に備える２枚の側板21を上面開口部15の周縁と下面開口部16の周縁を端縁23で結ぶようにして相互に対向させて平行に有するものである。
【００３３】
そして、第１本体部10及び第２本体部30の各側板21,41は、側板21,41の外側面における高さ方向の中央位置であって端縁23,43から所要距離だけ離れた位置に受部25,45を有し、この受部25,45は、コ字状とされて上方と下方で側板21,41に接続されて側板21,41との間に間隙空間26,46を形成するものである。
【００３４】
また、各受部25,45からは、図３及び図４に示すように、端縁23,43の方向に突出する板状の押え部27,47も有するものである。
【００３５】
そして、第１本体部10及び第２本体部30は、各本体部10,30の内側に第１側面11,31の内側と第２側面12,32の内側との間で、各々上面開口部15,35や下面開口部16,36の周縁に至る長さの補助板29,49を有するものである。
【００３６】
また、図３に示したように、第２本体部30は側板41の上端近傍及び下端近傍の外側に係合突起39を突出させ、図４に示したように、第１本体部10は側板21の上端近傍及び下端近傍の外側に係合突起39の先端と係合する係合受部19を有し、係合突起39の先端を係合受部19と係合させることにより、第１本体部10と第２本体部30とを一体に結合するものである。
【００３７】
このように、第１本体部10及び第２本体部30は、第１本体部10と第２本体部30とを一体に結合する係合突起39とこの係合突起39と係合する係合受部19との相違以外、形状や大きさ、及び構造などを共通とし、サイコロ100の重心をサイコロ100の中心からずらさないようにしている。
【００３８】
また、弾性部材51は、図３に示したように、第１本体部10や第２本体部30の上面開口部15,35と下面開口部16,36との距離よりも僅かに短い長辺を有する長方形の板状体である本体板53を有し、本体板53の長辺中央から左右に突出する取付け部55を有し、本体板53の両短辺の近傍には、本体板53の平面から突出する接触突起57を有するものである。
【００３９】
そして、この弾性部材51は、図４に示したように、本体板53の側方から突出する一方の取付け部55を第１本体部10の受部25が形成する間隙空間26に挿入し、他方の取付け部55は第２本体部30の間隙空間46に挿入するようにして第１本体部10と第２本体部30とを合わせた本体60に収納固定されるものである。
【００４０】
また、弾性部材51の接触突起57は、図４に示したように、第１本体部10の側板21に設けた突起用切欠き22から突出し、第２本体部30と第１本体部10とを合わせたとき、図３に示した第２本体部30の側板41に設けた突起用切欠き42をも貫通するようにして第１本体部10及び第２本体部30の側板21,41から突出して本体60に収納する円筒体70の対向する両側を挟持するものである。
【００４１】
そして、図４及び図５に示したように、本体板53の中央部分の外側を第１本体部10の押え部27が支持し、また、図３に示した第２本体部30の押え部47が、第１本体部10と第２本体部30とを合わせたとき、同様に本体板53の中央部分の外側を支持するものである。
【００４２】
従って、第１本体部10と第２本体部30とを合わせた本体60に円筒体70を挿入する場合、円筒体70の上部環状部81又は下部環状部83が接触突起57の位置を通過するとき、本体板53の上端又は下端を外側に押し広げるように本体板53を反らせて上部環状部81又は下部環状部83が通過した後、図５に示すように、弾性部材51の接触突起57を側壁75の上端及び下端に形成された段部85に接触させ、頂面71を本体60の上面の開口が形成する平面に位置させ、底面73を本体60の下面の開口が形成する平面に位置させるようにして本体60の内部に円筒体70を収納することができる。
【００４３】
また、このとき上部環状部81及び下部環状部83は、左右を側板21,41により支持されると共に、前後を第１本体部10の補助板29及び第２本体部30の補助板49により支持されて本体60内部の所定位置に収納固定されるものである。
【００４４】
そして、第１本体部10の第１側面11及び第２側面12、第２本体部30の第１側面31及び第２側面32、円筒体70の頂面71及び底面73には、１〜６の数を連想させる絵柄を表示することにより、サイコロ100として使用することができるようにするものである。
【００４５】
このように、同一形状の第１本体部10と第２本体部30とを合わせて本体60とし、この本体60に円筒形状の円筒体70を嵌入するものであるから、成型製造が容易にして、６面に異なる数を連想させ又は暗示する絵柄を表示するため、このサイコロ100を転がして停止したときの上面の絵柄が示す数によりゲームを行うことができる。
【００４６】
そして、例えば円筒体70の頂面71が上面となったとき、円筒体70を本体60から抜き出す（押し出す）ことにより、円筒体70に収納したフィギュア91を示して遊ぶことができる。
【００４７】
また、本体60の個数よりも円筒体70の個数を１個でも多くし、各円筒体70には異なるフィギュア91を収納しておけば、テーブル上に１個または複数個の円筒体70を立てておき、サイコロ100を転がして円筒体70の頂面71が上面となったとき、このサイコロ100をテーブル上に立てた円筒体70に重ねるようにして本体60を押下げると、テーブル上に載置されていた円筒体70が本体60に挿入され、本体60に収納していた円筒体70が本体60の上に押し上げられ、本体60に収納する円筒体70を交換するようにしてテーブル上に出現させるフィギュア91を変更することができる。
【００４８】
尚、このサイコロ100は、六面体に限るものでなく、正十二面体等の対向する平行な二面を有する正多面体であれば、対向する平行な二面に円筒体70の頂面71と底面73とを対応させて多面体の本体60に円筒体70を収納することができるものである。
【００４９】
また、図３乃至図５に示した実施形態は、板状にして長方形の弾性部材51を側板21,41に取り付ける構造としているも、板状の側板21,41にＵ字形状又はコ字形状の貫通溝を形成することにより、基部が側板21,41に接続されつつ自由端を形成する舌片をＵ字溝等により側板21,41に形成し、側板21,41に形成された舌片の自由端の近傍に接触突起57を設け、側板21,41に形成した舌片を弾性部材51とすることもある。
【００５０】
更に、図面に示したサイコロ100は、稜線及び頂点に丸味を持たせているも、通常の稜線及び頂点を有する直方体形状の正六面体とすることもある。
【産業上の利用可能性】
【００５１】
本発明に係るサイコロ100は、転がして停止状態により数を示してゲームを行うのみでなく、特定の面が上面となったとき、収納しているフィギュア91を見せるようにサイコロ100の本体60から円筒体70を取り出して遊ぶことができる。
【符号の説明】
【００５２】
１０  第１本体部
１１  第１側面                          １２  第２側面
１５  上面開口部                        １６  下面開口部
１９  係合受部                          ２１  側板
２２  突起用切欠き                      ２３  端縁
２５  受部                              ２６  間隙空間
２７  押え部                            ２９  補助板
３０  第２本体部
３１  第１側面                          ３２  第２側面
３５  上面開口部                        ３６  下面開口部
３９  係合突起                          ４１  側板
４２  突起用切欠き                      ４３  端縁
４５  受部                              ４６  間隙空間
４７  押え部                            ４９  補助板
５１  弾性部材
５３  本体板                            ５５  取付け部
５７  接触突起
６０  本体
７０  円筒体
７１  頂面                              ７３  底面
７５  側壁                              ８１  上部環状部
８３  下部環状部                        ８５  段部
９１  フィギュア
１００  サイコロ
【図１】
2015202312.tif 000003
【図２】
2015202312.tif 000004
【図３】
2015202312.tif 000005
【図４】
2015202312.tif 000006
【図５】
2015202312.tif 000007